(57)【要約】      （修正有）【課題】繊維強化樹脂製の板状の表面パネルを有する床パネルにあって、床パネルの立上り部に金属製の化粧カバーを配設することで、防火性能と耐久性能に優れた床パネル構造を提供する。【解決手段】繊維強化樹脂製の板状の表面パネルと、該表面パネルの一面へ積層された発泡性樹脂製の板状の支持部を有する床パネルにあって、床パネル１の立上り部１ａに金属製の化粧カバーを配設した床パネル構造であり、化粧カバーの上部４ａの折り曲げ角度が、１０°〜６０°である。【選択図】図２
2006169778.tif 000002
【特許請求の範囲】
【請求項１】
繊維強化樹脂製の板状の表面パネルと、該表面パネルの一面へ積層された発泡性樹脂製の板状の支持部を有する床パネル（１）にあって、床パネルの立上り部（１ａ）に金属製の化粧カバー（４）を配設した床パネル構造。
【請求項２】
化粧カバーの上部（４ａ）の折り曲げ角度（６）が、１０°〜６０°である請求項１に記載の床パネル構造。
【発明の詳細な説明】
【技術分野】
【０００１】
本発明は、住宅などの建物の屋外側で、一枚又は複数枚連続して敷きつめてベランダやバルコニー等を形成する床パネル構造に関する。
【背景技術】
【０００２】
従来、防水加工を簡易に施すと共にバルコニーやベランダを形成する部材として床パネルが知られている。この床パネルは、強度を維持する為に表面が繊維強化樹脂で覆われている事が多い。一方不燃化を目的に該床パネル表面を覆う材料として、枠上の樹脂マットに木レンガを嵌め込んだものや、板状の樹脂マットに磁器タイルを接着したものや、樹脂タイルを樹脂マットと一体に成形したものなど、表面材に応じて各種の床化粧材が提案されている（例えば、特許文献１）。又、バルコニーにおける水切板は、バルコニーとバルコニーを取り巻く外壁との雨仕舞いの用途で提案されている（例えば、特許文献２）。
【特許文献１】特開平９−９６０９１号公報
【特許文献２】特開平６−１４６５５９号公報
【発明の開示】
【発明が解決しようとする課題】
【０００３】
しかしながら、床パネルの床面の立上り部は、繊維強化樹脂が露出しており十分な防火性能が得られないことがあった。本発明はかかる問題を解決し、防火性能と耐久性能をバランスよく兼ね備えた床パネル構造を提供することにある。
【課題を解決するための手段】
【０００４】
即ち、本発明は、繊維強化樹脂製の板状の表面パネルと、該表面パネルの一面へ積層された発泡性樹脂製の板状の支持部を有する床パネルにあって、床パネルの立上り部に金属製の化粧カバーを配設した床パネル構造である。又、化粧カバーの上部の折り曲げ角度が、１０°〜６０°であることが好ましい。
【発明の効果】
【０００５】
繊維強化樹脂製の板状の表面パネルを有する床パネルにあって、床パネルの立上り部に金属製の化粧カバーを配設することで、防火性能と耐久性能に優れた床パネル構造を得ることができる。
【発明を実施するための最良の形態】
【０００６】
本発明の床パネル構造は、外壁の下部に位置する水切り板３近傍に位置する床パネル１の立上り部１ａが露出しており、立上り部１ａに金属製の化粧カバー４を覆うように配設することで、該露出面の立上り部１ａに防火性能と耐久性能を付与することができる。
【０００７】
本発明でいう床パネル１とは、繊維強化樹脂製の板状の表面パネルと、該表面パネルの一面へ積層された発泡性樹脂製の板状の支持部を有する構造のものであり、人や物の重量を支える強度を有すると共にベランダやバルコニーに防水性を持たせるためのものである。
【０００８】
本発明において、繊維強化樹脂とは、補強材に低圧成形用樹脂を含浸させて成形することにより機械的強度を著しく高めた樹脂である。例えば、不飽和ポリエステル樹脂、エポキシ樹脂、ビニルエステル樹脂、フェノール樹脂、シリコン樹脂、アリル樹脂、ポリイミド樹脂、フラン樹脂、ポリウレタン系樹脂等の合成樹脂と、ガラス繊維、炭素繊維、アラミド繊維、ボロン繊維等の強化繊維を複合したものがある。
【０００９】
本発明において、支持部の素材とは、表面パネルに対して高い密着性を有する発泡性樹脂であれば適宜採択できる。発泡性樹脂は、樹脂の内部に小さな気泡を分散させ多孔質の樹脂にしたもので、例えば、ポリウレタン発泡樹脂、エポキシ発泡樹脂、フェノール発泡樹脂、ポリアクリル発泡樹脂等がある。断熱効果を考えると、ウレタン発泡樹脂が好ましい。
【００１０】
本発明の化粧カバー４は、金属であれば特に制限されない。例えば、鉄板、アルミニウム、ステンレス鋼板、ガルバニウム鋼板や、鉄板に塩化ビニルやアクリルなどの熱可塑性樹脂を被覆した被覆鋼板である。好ましくは、加工性や表面保護性から、ステンレス鋼板、ガルバニウム鋼板や塩化ビニル鋼板などがよい。
【００１１】
化粧カバーの上部４ａは、水切り板３の下側空間に差し込むようにして接続固定できるように略へ字形状をしており、折り曲げ角度６が、１０°〜６０°であることが好ましい。１０°未満だと、折り返し端部４ｃの長さを必要以上に長くしなくては、化粧カバー４のバネ特性が得られなく、一方、６０°以上だと上部４ａの剛性が必要以上に強固になり、バネ特性が発現しない場合がある。又、折り返し端部４ｃの長さは、２０ｍｍ以上であることが好ましい。２０ｍｍ未満であると、前記の折り曲げ角度範囲であってもバネ特性が発現しない場合がある。
【００１２】
化粧カバー４の鋼板厚は、０．２ｍｍ〜１ｍｍであることが好ましい。０．２ｍｍ未満だと、水切り板３の下側空間に差し込む際に、化粧カバー４が塑性変形する場合がある。一方、１ｍｍ以上だと、剛性が必要以上に強固になるため、化粧カバー４が前記下側空間に差し込みにくくなる場合がある。
【００１３】
化粧カバー４の固定は、上部４ａの一方の面は水切り板３に接しさせ、もう一方の面は立上り部１ａに接することで固定できる。水切り板３との接続固定は、ネジ、リベット等の接合部材を用いることなく、又、水切り板３と化粧カバー４に接続穴を開けることなく接続固定できるため、手早く容易に施工できる。
【実施例】
【００１４】
以下、本発明に係る床パネル構造の実施例について、図１〜図５を参照しながら詳細に説明する。ここで図２、図３は、実施例１における断面図であり、図４は、実施例２における断面図である。図５は、化粧カバー４の断面図である。
【００１５】
（実施例１）本実施例における床パネル構造の化粧カバー４は、鋼板厚さ０．３ｍｍの塩ビ鋼板製でベンダー成形機を用いて賦形した。幅方向１４００ｍｍで、化粧カバー下部４ｂの水平部の長さ７０ｍｍ×上部４ａの立ち上がり長さ６０ｍｍ×折り返し端部４ｃ長さ３０ｍｍの断面寸法で、折り曲げ角度６は、４５°である。
【００１６】
本実施例における化粧カバー４の床パネルへの接続手順を説明する。図３に示すように、立上り部１ａの凸部に上部４ａの先端が当たるように、化粧カバー４を配設し、下部４ｂの上に防火タイル５を敷いて固定する。
【００１７】
（実施例２）本実施例における床パネル構造の化粧カバー４は、折り曲げ角度６を６０°とした以外は実施例１と同様にして作成した。
【００１８】
かかる床パネル構造では、繊維強化樹脂製の床パネルの立上り部を金属製の化粧カバーで配設することで、立上り部が防火性能と耐久性能に優れると共に、水切り板との隙間が覆われて体裁も良くなる。
【図面の簡単な説明】
【００１９】
【図１】従来例における断面の一部
【図２】実施例１における断面の一部を示す説明図である。
【図３】実施例１における施工手順を示す断面の一部を示す説明図である。
【図４】実施例２における断面の一部を示す説明図である。
【図５】実施例１における化粧カバーを示す説明図である。
【符号の説明】
【００２０】
１    床パネル
１ａ  立上り部
２    外壁
３    水切り板
４    化粧カバー
４ａ  上部
４ｂ  下部
４ｃ  折り返し端部
５    タイル
６    折り曲げ角度
【図１】
2006169778.tif 000003
【図２】
2006169778.tif 000004
【図３】
2006169778.tif 000005
【図４】
2006169778.tif 000006
【図５】
2006169778.tif 000007